(57)【要約】【課題】  情報記憶媒体を返却しない場合には、利用者が退室できないようにした情報記憶媒体管理システムを提供する。【解決手段】  入室/退室管理部と、認証用情報を入力する入力部と、情報記憶媒体の保管部と、情報記憶媒体を排出する排出部と、情報記憶媒体の返却部と、返却された情報記憶媒体からＩＤ情報を読み取るＩＤ情報読取部と、認証用情報とＩＤ情報と保管位置情報とが登録されているデータベースと、処理管理部と、を備え、前記処理管理部は、入力された認証用情報と、データベースに登録されている認証用情報とを照合し、一致した場合に情報記憶媒体を排出させ、読み取ったＩＤ情報とデータベースに登録されているＩＤ情報とを照合し、一致した認証用情報と関係付けられた保管位置情報の保管位置に返却された情報記憶媒体を保管させ、更に入室/退室管理部に対して入室又は退室を可能な状態にさせる指示信号を送信させる。【選択図】        図２
2008282060.tif 000002
【特許請求の範囲】
【請求項１】
管理エリアに入室する際に、利用者に対して、前記管理エリア内で使用する情報記憶媒体の発行を行い、また前記情報記憶媒体を返却しない場合には、前記利用者が退室できないようにした情報記憶媒体管理システムであって、
前記管理エリアへの入室又は退室を物理的に可能又は不可能な状態に切り替える入室/退室管理部と、
前記管理エリアへの入室前に利用者が認証用情報を入力する入力部と、
前記情報記憶媒体が保管された保管部と、
前記保管部で保管されている情報記憶媒体を利用者が受け取れる状態に排出する排出部と、
前記管理エリア内から利用者が退室する際に、前記情報記憶媒体を返却するために設けられた返却部と、
前記返却部から返却された情報記憶媒体に記憶されているＩＤ情報を読み取るＩＤ情報読取部と、
前記認証用情報と、前記各情報記憶媒体毎に記憶されているＩＤ情報と、前記保管部に保管されている各情報記憶媒体毎の保管位置情報とが関係付けられて登録されているデータベースと、
制御プログラムに基づいて処理を行わせる処理管理部と、
を備え、
利用者の入室時に、前記処理管理部は、前記入力部から入力された認証用情報と、前記データベースに登録されている認証用情報とを照合し、一致した場合に、その認証用情報と関係付けられた保管位置情報で特定される保管位置に保管されている情報記憶媒体を、前記排出部に排出し、利用者の退室時に、前記処理管理部は、前記ＩＤ情報読取部で読み取ったＩＤ情報と前記データベースに登録されているＩＤ情報とを照合して、一致した認証用情報と関係付けられた保管位置情報で特定される保管位置に返却された情報記憶媒体を保管させ、前記認証用情報に基づく照合が一致した場合、又は前記返却部から返却された情報記憶媒体から読み取られたＩＤ情報に基づく照合が一致した場合に、前記入室/退室管理部に対して入室又は退室を可能な状態にさせる指示信号を送信させることを特徴とする情報記憶媒体管理システム。
【請求項２】
管理エリアに入室する際に、利用者に対して、前記管理エリア内で使用する情報記憶媒体の発行を行い、また前記情報記憶媒体を返却しない場合には、前記利用者が退室できないようにした情報記憶媒体管理システムであって、
前記管理エリアへの入室又は退室を物理的に可能又は不可能な状態に切り替える入室/退室管理部と、
前記管理エリアへの入室前に利用者が認証用情報を入力する入力部と、
前記情報記憶媒体が保管された保管部と、
前記保管部で保管されている情報記憶媒体を利用者が受け取れる状態に排出する排出部と、
前記管理エリア内からの前記利用者が退室する際に、前記情報記憶媒体を返却するために設けられた返却部と、
前記返却部から返却された情報記憶媒体に記憶されているＩＤ情報を消去する消去部と、
前記認証用情報が登録されているデータベースと、
制御プログラムに基づいて処理を行わせる処理管理部と、
を備え、
利用者の入室時に、前記処理管理部は、前記入力部から入力された認証用情報と、前記データベースに登録されている認証用情報とを照合し、一致した場合に、発行する情報記憶媒体の記憶手段にＩＤ情報を記憶させ、前記情報記憶媒体に記憶させたＩＤ情報を、前記データベースに登録されている認証用情報と関係付けて登録させ、ＩＤ情報を記憶させた情報記憶媒体を、前記排出部に排出し、利用者の退室時に、前記処理管理部は、前記認証用情報に基づく照合が一致した場合、又は前記返却部から情報記憶媒体が返却された場合に、前記入室/退室管理部に対して入室又は退室を可能な状態にする指示信号を送信させることを特徴とする情報記憶媒体管理システム。
【請求項３】
前記認証用情報が、生体情報であり、前記入力部が、生体情報入力部であることを特徴とする請求項１又は請求項２に記載の情報記憶媒体管理システム。
【請求項４】
前記特定の管理エリアが、建物又は部屋であり、前記入室/退室管理部が、建物又は部屋の出入口に備えられた電子錠を有するドアについて、前記電子錠の施錠又は解錠状態を制御する施錠/解錠制御部であることを特徴とする請求項１又は請求項２に記載の情報記憶媒体管理システム。
【発明の詳細な説明】
【技術分野】
【０００１】
本発明は、管理エリアに入室する際に、利用者にその管理エリア内で使用する情報記憶媒体の発行を行い、また前記情報記憶媒体を返却しない場合には、前記利用者が退室できないようにした情報記憶媒体管理システムに関する。
【背景技術】
【０００２】
従来、会社などの組織において、その従業員に対して社員証としてＩＣカードなどの情報記憶媒体を発行し、従業員が会社の敷地や建物へ入室する時に、情報記憶媒体に記憶された認証用情報を利用して本人認証を行ない、認証が受けられた場合に入室可能な状態にしたり、また、従業員が、建物内に備えられた設備や装置の使用をする際にも、情報記憶媒体に記憶された認証用情報を読取装置で読み取って、本人認証を行なうことで、認証が受けられた場合に、それらの装置や設備を使用可能な状態に切り替えるようにするなどして、不審者が入室することを防止したり、装置や設備の不正使用を防止するなどしたセキュリティシステムが普及している。
上記のように、社員証などのＩＣカードを利用したセキュリティ方法およびシステムは、既に下記の特許文献１にも記載されている。（例えば、特許文献１参照）
【０００３】
【特許文献１】特開２００２−１９７５００号公報
【０００４】
しかしながら、例えば社員証として、ＩＣカードなどの情報記憶媒体を使用した認証処理を行う場合においては、社外においても社員が社員証を所持しているために、昼休みなどで外出した際に、社員証を外部でうっかり落として紛失することも考えられる。
そして、紛失した社員証が、その後に第三者の手に渡って不正に使用される危険性があるという問題がある。
【０００５】
また、他の例として社員でない来客者に対して、受付で入管証としてＩＣカードなどの情報記憶媒体の発行を行い、建物内での入室管理を入管証から読み取った認証用情報に基づいて行う管理システムが既に知られているが、来客者が帰る際に、受付で発行された入館証の返却を行わないで持ち帰ることも考えられる。
このように、持ち帰った入館証を用いて、その後に不正な行為が行われる危険性があるという問題もある。
【発明の開示】
【発明が解決しようとする課題】
【０００６】
そこで、本発明は、ＩＣカードなどの情報記憶媒体を使用した認証処理が行われている建物において、紛失された情報記憶媒体を用いた不正使用や、また返却されなかった情報記憶媒体を用いた不正行為を防止するために、利用者に対して、入室時にその管理エリア内で使用する情報記憶媒体の発行を行い、また前記情報記憶媒体を返却しない場合には、前記利用者が退室できないようにした情報記憶媒体管理システムを提供する。
【課題を解決するための手段】
【０００７】
本発明の情報記憶媒体管理システムは、管理エリアに入室する際に、利用者に対して、前記管理エリア内で使用する情報記憶媒体の発行を行い、また前記情報記憶媒体を返却しない場合には、前記利用者が退室できないようにした情報記憶媒体管理システムであって、前記管理エリアへの入室又は退室を物理的に可能又は不可能な状態に切り替える入室/退室管理部と、前記管理エリアへの入室前に利用者が認証用情報を入力する入力部と、前記情報記憶媒体が保管された保管部と、前記保管部で保管されている情報記憶媒体を利用者が受け取れる状態に排出する排出部と、前記管理エリア内から利用者が退室する際に、前記情報記憶媒体を返却するために設けられた返却部と、前記返却部から返却された情報記憶媒体に記憶されているＩＤ情報を読み取るＩＤ情報読取部と、前記認証用情報と、前記各情報記憶媒体毎に記憶されているＩＤ情報と、前記保管部に保管されている各情報記憶媒体毎の保管位置情報とが関係付けられて登録されているデータベースと、制御プログラムに基づいて処理を行わせる処理管理部と、を備え、利用者の入室時に、前記処理管理部は、前記入力部から入力された認証用情報と、前記データベースに登録されている認証用情報とを照合し、一致した場合に、その認証用情報と関係付けられた保管位置情報で特定される保管位置に保管されている情報記憶媒体を、前記排出部に排出し、利用者の退室時に、前記処理管理部は、前記ＩＤ情報読取部で読み取ったＩＤ情報と前記データベースに登録されているＩＤ情報とを照合して、一致した認証用情報と関係付けられた保管位置情報で特定される保管位置に返却された情報記憶媒体を保管させ、前記認証用情報に基づく照合が一致した場合、又は前記返却部から返却された情報記憶媒体から読み取られたＩＤ情報に基づく照合が一致した場合に、前記入室/退室管理部に対して入室又は退室を可能な状態にさせる指示信号を送信させることを特徴とする。
【０００８】
また、本発明の情報記憶媒体管理システムは、管理エリアに入室する際に、利用者に対して、前記管理エリア内で使用する情報記憶媒体の発行を行い、また前記情報記憶媒体を返却しない場合には、前記利用者が退室できないようにした情報記憶媒体管理システムであって、前記管理エリアへの入室又は退室を物理的に可能又は不可能な状態に切り替える入室/退室管理部と、前記管理エリアへの入室前に利用者が認証用情報を入力する入力部と、前記情報記憶媒体が保管された保管部と、前記保管部で保管されている情報記憶媒体を利用者が受け取れる状態に排出する排出部と、前記管理エリア内からの前記利用者が退室する際に、前記情報記憶媒体を返却するために設けられた返却部と、前記返却部から返却された情報記憶媒体に記憶されているＩＤ情報を消去する消去部と、前記認証用情報が登録されているデータベースと、制御プログラムに基づいて処理を行わせる処理管理部と、を備え、利用者の入室時に、前記処理管理部は、前記入力部から入力された認証用情報と、前記データベースに登録されている認証用情報とを照合し、一致した場合に、発行する情報記憶媒体の記憶手段にＩＤ情報を記憶させ、前記情報記憶媒体に記憶させたＩＤ情報を、前記データベースに登録されている認証用情報と関係付けて登録させ、ＩＤ情報を記憶させた情報記憶媒体を、前記排出部に排出し、利用者の退室時に、前記処理管理部は、前記認証用情報に基づく照合が一致した場合、又は前記返却部から情報記憶媒体が返却された場合に、前記入室/退室管理部に対して入室又は退室を可能な状態にする指示信号を送信させることを特徴とする。
【０００９】
更に、本発明の情報記憶媒体管理システムは、前記認証用情報が、生体情報であり、前記入力部が、生体情報入力部であることを特徴とする。
入力部を生体情報入力部とすることで、認証情報が盗まれることがないという効果がある。
【００１０】
また、本発明の情報記憶媒体管理システムは、前記特定の管理エリアが、建物又は部屋であり、前記入室/退室管理部が、建物又は部屋の出入口に備えられた電子錠を有するドアについて、前記電子錠の施錠又は解錠状態を制御する施錠/解錠制御部であることを特徴とする。
【発明の効果】
【００１１】
したがって、本発明は、ＩＣカードなどの情報記憶媒体を使用した認証処理が行われている建物において、紛失された情報記憶媒体を用いた不正使用や、また返却されなかった情報記憶媒体を用いた不正行為を防止することができるという効果がある。
【発明を実施するための最良の形態】
【００１２】
以下、本発明の実施形態に係る情報記憶媒体管理システムについて、図面に基づいて詳細に説明する。
図１は、本発明の第１実施形態に係る情報記憶媒体管理システムの概要を説明する図である。
第１実施形態では、管理エリアとして、入退室が管理されている部屋１について説明し、また情報記憶媒体としてＩＣカード２を用いて場合に関して説明する。
そして、部屋１に入室した後には、ＩＣカード２を使用する認証処理が必要な装置や設備などが備えられ、ＩＣカード２を使用しないと例えばパソコン３などが使用できないようにセキュリティ管理がされている。
また、図１では、ＩＣカード２に記憶されている固有情報に基づく認証処理を行うパソコン３だけが備えられている状況が示されているが、図示しないものの、部屋１内に、更に小部屋が備えられ、それらの小部屋に入る際にもＩＣカード２に記憶されている固有情報に基づく認証処理で認証が受けられた場合に、施錠された電子錠を解錠させて入室可能とする機能を備えるなど、種々のＩＣカード２を用いた認証が必要な装置又は設備が備えられている。
いずれにしても、部屋１への利用者は、入室の際にＩＣカード２が渡されないと、部屋１内での行動が制限されることになる。
【００１３】
したがって、図１に示すように、部屋１の入退室ドア５付近には、ＩＣカード２の発行と返却の管理を行うＩＣカード発行返却管理装置６が備えられている。
部屋１の外にいる利用者４は、入退室ドア５を開けて入室する前の段階であり、ＩＣカード発行返却管理装置６は、利用者４にＩＣカード２を発行する。
そして、利用者４にＩＣカード２を渡してから入室するように構成され、また、その利用者４が退室する際には、そのＩＣカード２をＩＣカード発行返却管理装置６に返却する構成を備えると共に、退室する際にＩＣカード２を返却しない場合には、入退室ドアの電子錠を解錠しないように制限して、利用者４がＩＣカード２を外部に持ち出せないようにして管理している。
具体的な処理は後述する。
【００１４】
図２には、入退室ドア５付近に備えられているＩＣカード発行返却管理装置６の構成が示されている。
ＩＣカード発行返却管理装置６には、入室/退室管理部７、入力部８、保管部９、発行用の排出部１０、返却部１１、ＩＤ情報読取部１３、データベース１４、処理管理部１５、処理エラー用の排出部１６、が備えられている。
【００１５】
まず、入室/退室管理部７は、部屋１への入室又は退室を物理的に可能又は不可能な状態に切り替える機能を有している。
つまり、電子錠を施錠又は解錠させて、入退室ドア５をロック状態にしたり、また入退室ドア５を開けて入室可能にしたりする機能を備えている。
入力部８は、入室前に利用者４が認証用情報を入力するために備えられており、図２に示す例では、指紋を読み取る機能を有する指紋情報入力部が備えられた場合が示されている。
利用者４は、入力部８から本人であることの認証処理を行う際に、認証用情報として指４ａを入力部８の所定の読取部分に押し当てることで、指４ａの指紋情報を入力できるように構成されている。
【００１６】
また、保管部９には、入力部８から入力された指紋情報に基づく認証処理で認証された場合に、利用者４に対して発行するためのＩＣカード２が保管されている。
保管部９に保管されているＩＣカード２は、社員証のようにそのＩＣカード２の使用者が決まっている場合には、各々のＩＣカード２毎に定められた位置に保管する。
また、訪問者のようにＩＣカード２毎に使用者が不特定である場合には、１枚のＩＣカード２を異なる訪問者に共通して使用できるように、保管部９に保管する位置を特定されることなく、保管してもよい。
発行用の排出部１０は、保管部９で保管されているＩＣカード２を利用者４が入口側において、受け取れる状態に排出するための部分であり、前記認証処理において認証が受けられた場合に、利用者４は保管部９から排出部１０に排出されたＩＣカード２を受け取れるように構成されている。
【００１７】
また、返却部１１は、利用者４が部屋１から退室する際に、ＩＣカード２を返却するために設けられており、返却部１１の返却口からＩＣカード２を入れることで、ＩＣカード２が保管部９に回収され、その後、再度発行されて再使用できるように構成されている。
つまり、保管部９で保管されているＩＣカード２は、利用者４に対して発行用の排出部１０から排出されて利用者４に渡され、部屋１に入室して使用された後、利用者４が部屋１から出る際に返却部１１にＩＣカード２を入れることで、再び保管部９に戻されるというリサイクルが行われるように構成されている。
【００１８】
また、返却部１１から保管部９までの間には、ＩＤ情報読取部１３が備えられている。
消去部１２は、返却部１１から返却されたＩＣカード２に記憶されているＩＤ情報を消去する機能を有している。
また、ＩＤ情報読取部１３は、返却部から返却されたＩＣカード２に記憶されているＩＤ情報を読み取る機能を有している。
ＩＣカード発行返却管理装置６の利用目的として、不特定の訪問者に発行するＩＣカード２のように予めＩＣカード２毎に使用者が決まっていない場合には、消去部１２の機能だけを使用する設定を行い、また、ＩＣカード発行返却管理装置６の利用目的として、社員証のＩＣカード２のように予めＩＣカード２毎に使用者が決まっている場合には、読取部１３の機能だけを使用する設定を行うことで、２つの処理方法を選択することができる。
【００１９】
また、データベース１４には、予め認証用情報と保管位置情報が関係付けられて登録されている。
図３には、データベース１４に登録されている保管位置情報テーブルの内容が示されている。
ここで、保管位置情報とは、保管部９で保管されているＩＣカード２の保管位置を特定する情報である。
この認証用情報は、入力部８から入力された本人認証用の情報と照合処理するための情報であり、上記のように本人認証用の情報が指紋情報である場合には、予め指紋情報が登録されている。
データベース１４の保管位置情報テーブル２２には、図３に示すように、保管位置情報と社員番号や本人認証用の情報が関係付けられて登録されている。
認証用情報としては、指紋情報、静脈情報、虹彩情報、などの生体情報を用いることが本人であるか否かを判断する上で確実であることから好ましいが、暗証番号など種々の内容の情報を用いることができる。
【００２０】
処理管理部１５は、制御プログラムに基づいて処理を行わせる機能を有している。
この制御プログラムは、ＩＣカード発行返却管理装置６の利用目的として、社員証のＩＣカード２のように予めＩＣカード２毎に使用者が決まっている場合と、また不特定の訪問者に発行するＩＣカード２のように予めＩＣカード２毎に使用者が決まっていない場合とによって２種類の処理手順の制御プログラムが用意されている。
【００２１】
第１実施形態において、入室時は、まず、ＩＣカード発行返却管理装置６の利用時に、社員証のＩＣカード２のように予めＩＣカード２毎に使用者が決まっている場合、処理管理部１５は、制御プログラムに基づいて、入力部８から入力された認証用情報と、データベース１４に登録されている認証用情報とを照合し、一致した場合に、その認証用情報と関係付けられた保管位置情報で特定される保管位置に保管されているＩＣカード２を排出部１０へ排出する。
そして、退室時は、更に、ＩＤ情報読取部１３でＩＣカード２から読み取ったＩＤ情報とデータベース１４に登録されているＩＤ情報とを照合して、一致したＩＤ情報と関係付けられた保管位置情報で特定される保管位置に、返却されたＩＣカード２を保管させ、認証用情報に基づく照合が一致した場合、又は前記返却部から返却されたＩＣカード２から読み取られたＩＤ情報に基づく照合が一致した場合に、入室/退室管理部７に対して入室又は退室を可能な状態にさせる指示信号を送信させる。
【００２２】
次に、第２実施形態について説明する。
第２実施形態では、図４に示すように、ＩＣカード発行返却管理装置２０には、入室/退室管理部７、入力部８、保管部２１、発行用の排出部１０、返却部１１、消去部１２、データベース１４、処理管理部１５、処理エラー用の排出部１６、ＩＤ情報書込部１７が備えられている。
第２実施形態において、入室時に、ＩＣカード発行返却管理装置６を利用する時に、不特定の訪問者に発行するＩＣカード２のように予めＩＣカード２毎に使用者が決まっていない場合、処理管理部１５は、入力部８から入力された認証用情報と、データベース１４に登録されている認証用情報とを照合し、一致した場合に、発行するＩＣカード２の記憶部にＩＤ情報を記憶し、ＩＣカード２に記憶されたＩＤ情報を、データベース１４に登録されている認証用情報と関係付けて登録し、ＩＤ情報を記憶させたＩＣカード２を、排出部１０に排出させる。
その後、利用者は、排出部１０のＩＣカード２を受け取って部屋１に入室することとなる。
【００２３】
そして、退室時は、返却部１１からＩＣカード２を返却することで、消去部１２が返却されたＩＣカード２の記憶手段に記憶されているＩＤ情報を消去した後、保管部２１でＩＣカード２を保管し、再使用可能な状態とする。
【００２４】
また、処理エラー用の排出部１６は、返却部１１から返却されたＩＣカード２に対する消去処理や、ＩＤ情報の読取処理がうまく実行できなかった場合、つまりエラーがあった場合に排出される部分である。
ＩＤ情報書込部１７は、不特定の訪問者に発行するＩＣカード２のように予めＩＣカード２毎に使用者が決まっていない場合に、ＩＣカード２の発行を行う際にその都度、新しいＩＤ情報をＩＣカード２の記憶手段に書き込んで記憶する機能を有する。
【００２５】
次に、第１実施形態に係る情報記憶媒体管理システムの処理手順を、図４に示すフローチャート図に基づいて説明する。
処理手順としては、第１実施形態では、ＩＣカード発行返却管理装置６の利用目的として、社員証のＩＣカード２のように予めＩＣカード２毎に使用者が決まっている場合であり、第２実施形態では、不特定の訪問者に発行するＩＣカード２のように予めＩＣカード２毎に使用者が決まっていない場合であり、まず、第１実施形態では、ＩＣカード２毎に使用者が決まっている場合の処理手順について説明する。
【００２６】
利用者４は、部屋１に入室する際に、ＩＣカード発行返却管理装置６の入力部８の指紋読取部分に指４ａを置いて指紋情報を入力する。（ステップＳ１）
入力部８から入力された指紋情報は、データベース１４に登録されている認証用情報である指紋情報と照合処理される。（ステップＳ２）
そして、照合一致した場合には、その認証用情報と関係付けられた保管位置情報で特定される保管位置に保管されているＩＣカード２が排出部１０に排出させる。（ステップＳ３）
更に、照合一致した場合には、入室/退室管理部７で電子錠を解錠させて、入退室ドア５のロック状態を解除させて、利用者４が入退室ドア５を開けて入室可能にする。（ステップＳ４）
以上の処理により、利用者４は、社員証であるＩＣカード２を入手して、入退室ドア５を開けて入室できる。
【００２７】
次に、利用者４が部屋１から退室する際には、返却部１１からＩＣカード２を返却する。（ステップＳ５）
ＩＤ情報読取部１３は、返却されたＩＣカード２からＩＤ情報を読み取る。（ステップＳ６）
そして、読み取られたＩＤ情報と、データベース１４に登録されているＩＤ情報とを照合処理する。（ステップＳ７）
照合一致したＩＤ情報と関係付けられた保管位置情報で特定される保管位置に、返却されたＩＣカード２を保管させる。（ステップＳ８）
更に、入室/退室管理部７で電子錠を解錠させて、入退室ドア５のロック状態を解除させて、利用者４が入退室ドア５を開けて退室可能にする。（ステップＳ９）
【００２８】
以上の処理により、利用者４が社員などの場合であっても、社員証のＩＣカード２を外部で持ち歩く必要がなく、入室する際に入口で発行され、また退室する際に返却して、繰り返し同じＩＣカード２を使用できるようになっている。
【００２９】
次に、第２実施形態の場合で、不特定の訪問者に発行するＩＣカード２のように予めＩＣカード２毎に使用者が決まっていない場合の処理手順について説明する。
訪問者などの利用者４は、部屋１に入室する際に、ＩＣカード発行返却管理装置６の入力部８の指紋読取部分に指４ａを置いて指紋情報を入力する。（ステップＳ１１）
入力部８から入力された指紋情報は、データベース１４に登録されている認証用情報である指紋情報と照合処理される。（ステップＳ１２）
そして、照合一致した場合には、ＩＤ情報書込部１７からＩＣカード２の記憶手段にＩＤ情報を書き込んで記憶させた後に排出部１０に排出させる。（ステップＳ１３）
更に、照合一致した場合には、入室/退室管理部７で電子錠を解錠させて、入退室ドア５のロック状態を解除させて、利用者４が入退室ドア５を開けて入室可能にする。（ステップＳ１４）
以上の処理により、利用者４は、ＩＣカード２を入手して、入退室ドア５を開けて入室できる。
【００３０】
次に、利用者４が部屋１から退室する際には、返却部１１からＩＣカード２を返却することで、ＩＣカード２に返却される。（ステップＳ１５）
消去部１２は、返却されたＩＣカード２の記憶手段に記憶されているＩＤ情報を消去する。（ステップＳ１６）
更に、入室/退室管理部７で電子錠を解錠させて、入退室ドア５のロック状態を解除させて、利用者４が入退室ドア５を開けて退室可能にする。（ステップＳ１７）
【００３１】
以上の処理により、利用者４が訪問者などの場合であっても、その都度ＩＣカード２を入室する際に入口で発行し、また退室する際に返却して、繰り返しＩＣカード２を使用できるようにしてあり、ＩＣカード２を返却しない場合には退室できないように構成されている。
【００３２】
上記実施形態では、ＩＣカード発行返却管理装置６を使用して、部屋１の入口側で認証用情報の読み取り、ＩＣカード２の排出を行い、また出口側でＩＣカード２の返却が行えるように構成されているが、本発明の情報記憶媒体管理システムは、必ずしも１つの装置内にこれらの機能を設けることに限定されない。
例えば、認証用情報の読み取り、ＩＣカード２の排出を行う部分と、ＩＣカード２の返却を行う返却部の部分と、処理管理部やデータベースなどの部分を異なる場所に分散して設けるように構成させてもよい。
生体情報も指紋だけでなく、静脈、虹彩のいずれでもよい。
【図面の簡単な説明】
【００３３】
【図１】本発明の実施形態に係る情報記憶媒体管理システムの概要を説明する図である。
【図２】本発明の第１実施形態に係る情報記憶媒体管理システムのシステムブロック図である。
【図３】保管位置情報テーブルを説明する図である。
【図４】本発明の第２実施形態に係る情報記憶媒体管理システムのシステムブロック図である。
【図５】本発明の第１実施形態に係る情報記憶媒体管理システムにおいて、入室時の処理手順を示すフローチャート図である。
【図６】本発明の第１実施形態に係る情報記憶媒体管理システムにおいて、退室時の処理手順を示すフローチャート図である。
【図７】本発明の第２実施形態に係る情報記憶媒体管理システムにおいて、入室時の処理手順を示すフローチャート図である。
【図８】本発明の第２実施形態に係る情報記憶媒体管理システムにおいて、退室時の処理手順を示すフローチャート図である。
【符号の説明】
【００３４】
１  部屋
２  ＩＣカード
３  パソコン
４  利用者
４ａ  指
５  入退室ドア
６，２０  ＩＣカード発行返却管理装置
７  入室/退室管理部
８  入力部
９，２１  保管部
１０  発行用の排出部
１１  返却部
１２  消去部
１３  ＩＤ情報読取部
１４  データベース
１５  処理管理部
１６  処理エラー用の排出部
１７  ＩＤ情報書込部
２２  保管位置情報テーブル
【図１】
2008282060.tif 000003
【図２】
2008282060.tif 000004
【図３】
2008282060.tif 000005
【図４】
2008282060.tif 000006
【図５】
2008282060.tif 000007
【図６】
2008282060.tif 000008
【図７】
2008282060.tif 000009
【図８】
2008282060.tif 000010